Podtech/llm-jp-corpus-v4-ja_patent huggingface dataset:
(57)【要約】【課題】本案は、骨の形状に合わせ中央部分に凹型の加工を施した円筒形の木材を使用することによって、腰、肩、首等の人体の様々な箇所の筋肉の張りを無理なく和らげることができ、同時に姿勢を矯正することのできる加工木材人体健康器具を得ることを目的とする。【解決手段】円筒形に加工した木材（１）の中央部分に凹面の加工（２）を施して形成するものである。【選択図】　　図１
0003098759.tif 000002
【実用新案登録請求の範囲】
【請求項１】
円筒形に加工した木材（１）の中央部分に凹面の加工（２）を施した人体健康器具。
【考案の詳細な説明】
【０００１】
【考案の属する技術分野】
本案は、人体を仰向けにして使用する人体健康器具に関するものである。
【０００２】
【従来の技術】
従来の木材健康器具では凹面が存在せず、人体の限定された箇所にしか使用することができず、また仰向けになって使用するに際して、人体各箇所の骨の部分に直接木材が当たり、それによって痛みを伴うことがあり長時間の使用が困難であった。
【０００３】
【考案が解決しようとする課題】
本案は、凹面の加工を施したことにより人体の様々な箇所に使用することができ、骨に余分な負担を掛けることなく腰や肩等の筋肉の張りを和らげ、またそれにより姿勢を矯正することを目的とする。
【０００４】
【課題を解決するための手段】
円筒形に加工した木材（１）の中央部分に凹面の加工（２）を施した。
本案は、以上のような構成よりなる人体健康器具である。
【０００５】
【考案の実施の形態】
木材（１）を円筒形に加工し、その中央部に骨の形状に合わせ凹型に加工（２）する。
本案は、以上のような構成で、これを使用するときは、体を仰向けにして、凹面の部分が骨を覆うように体の各箇所に押し当て、数分間そのままの姿勢を保つようにする。
【０００６】
【考案の効果】
これには、次のような効果がある。
凹面の加工を施すことにより人体の様々な箇所に使用することができ、骨に圧力を掛けることなく、腰、肩、首等の筋肉の張りを和らげることができる。
【０００７】
凹面の加工によって骨に余分な圧力を掛けることなく筋肉の張りをとり、それによって姿勢を矯正する効果がある。
【図面の簡単な説明】
【図１】本案の加工木材人体健康器具の斜視図である。
【図２】本案の縦断面図である。
【符号の説明】
１　木材
２　凹面
【図１】
0003098759.tif 000003
【図２】
0003098759.tif 000004
(57)【要約】【課題】腹圧性尿失禁などを予防改善するため、無理なく容易に骨盤底筋群など下腹部筋力を強化する【解決手段】筒の底に小さい穴（２）をあけ、（３）の部分を口にくわえて息を吹き出すことで、無理なく筋力を強化する【選択図】　図１
0003098760.tif 000002
【実用新案登録請求の範囲】
【請求項１】
筒状の底の部分に小さな穴をあけた下腹部筋力強化器具
【考案の詳細な説明】
この考案は、筒状の底に小さな穴のある下腹部筋力器具である。
出産や加齢による骨盤底筋群など下腹部筋力の弛緩によっておこる尿失禁を予防又は改善するものである。底のない方を口にくわえ、大きく息を吸って吹き矢を吹くようにフッフッと勢いよく息を吹き出す。又は大きく息を吸って風船をふくらませるようにフーッフーッと吹き出す。小さい穴があることで、容易に繰り返しほどよい筋力を使うことができる。
【図面の簡単な説明】
【図１】本案の斜視図
【図２】本案の斜視図
【符号の説明】１は筒　２は穴　３は口にくわえる部分
【図１】
0003098760.tif 000003
【図２】
0003098760.tif 000004
(57)【要約】　　　（修正有）【課題】この考案は、電子レンジの加熱波を食材にムラなく当てる調理補助器具である。【解決手段】食材の下からも電波が当たるように、食材の下に波形の補助器具を置く。補助器具は、耐熱素材で形成され、繰り返し使用できるもので、乾かせるようフック掛けでるようにした。【選択図】　　図１
0003098755.tif 000002
【実用新案登録請求の範囲】
【請求項１】
耐熱素材の板を波型に形成した調理補助器具
【考案の詳細な説明】
【０００１】
【産業上の利用分野】
この考案は電子レンジの加熱波を利用し、食材を加熱する調理補助器具に関するものである
【０００２】
【従来の技術】
（イ）　従来、耐熱容器を使い食材の加熱調理をしていたが、容器に触れた面は電波が届きにくく、加熱にムラがあるとゆう問題点があった。
（ロ）　食材の下からも電波を当てる為、アルファベットのＷ形状のものを要いたが、角度のある部分が洗いにくいという欠点があった。
（ハ）　割り箸を利用し、食材の下に空間を空けて加熱したところ、食材は加熱ムラなく調理できた。
（二）　しかし、割り箸は洗うと乾くまで時間がかかり、繰り返し使うには衛生面を考えると不適当であった。
【０００３】
【考案が解決しようとする課題】
本考案はその欠点を除いて、使用しやすい器具を開発しようとするものである。
【０００４】
【課題を解決するための手段】
（イ）　耐熱素材の板を波型に形成し、食材を乗せた時にその食材の下に空間ができる。よって空間から電波を加え加熱できる。
（ロ）　Ｗ形の角度のある部分を丸みのある波形にし、洗いやすくする。
（ハ）　洗って繰り返し使用できる素材を使用する。
（ニ）フック等に掛けて乾かせるように一端に引っ掛け穴を設ける。
【０００５】
【作用】
（イ）　本考案は以上のような構造であるから、電子レンジを使用する際に食材を乗せて加熱ムラなく調理することができる。
（ロ）　角を丸くし波型にすることで洗いやすくする。
（ハ）　引っ掛けることのできる穴を設けることで乾かしやすくなる。
【０００６】
【実施例】
なお、本考案の実施に当たって次の如きことができる
（イ）　図１で示したように板を波型にしたものなので、上側と下側で食材を乗せる幅が違うので食材の大・小で使い分けることができる。
（ロ）　穴を利用し、フック等に掛けて収納することができる。
【０００７】
【考案の効果】
加熱面積が多いので、加熱ムラなく上下返さず加熱できる。
上記の作用・例をみても、使用者が使いやすい調理補助器具である。
【図面の簡単な説明】
【図　１】本考案の調理補助器具を示した斜視図である。
【図　２】本考案の使用面を横から見た側面図である。
【図　３】本考案を（イ）を上から見た平面図である。
【符号の説明】
１　（イ）は食材をのせる接触面で、点線部を示したものである。
２　（ロ）は（イ）に対し裏面を使用した際の食材との接触面である。
３　（ハ）はフック等に掛けることのできる穴である。
【図１】
0003098755.tif 000003
【図２】
0003098755.tif 000004
【図３】
0003098755.tif 000005
(57)【要約】［課題］　　　活性炭・中空糸膜の再利用再資源化及び環境面の配慮、浄水機能の安定化。［解決手段］　浄水器を組み立てキットにすることで活性炭・中空糸膜の再利用再資源化が一般家庭で容易に出来、ろ過だけの浄水と違いミネラル増加石を入れる事によって独自においしい水を作る事が出来る。【選択図】図２
0003098757.tif 000002
【実用新案登録請求の範囲】
【請求項１】
浄水器上部に水と活性炭が、よく触れ合うシャワー式構造を設け各ろ過材・ミネラルの素を別々に収納する容器を設けるとともに各接続部にパッキン及び取り外し可能な残水調整フィルターを付けた資源リサイクル容器４段構造を特徴とする組み立て浄水キット
【考案の詳細な説明】
【０００１】
［考案の属する技術分野］
本考案は、家庭用浄水器に関して活性炭・中空糸膜フィルターの再利用、再資源化及び交換を一般家庭でも容易にでき又、ろ過だけでなくミネラルを豊富にする機能を備えた浄水器を提供する目的である。
【０００２】
［従来の技術］
性能的に寿命に達すると新しいカートリッジを購入して交換し、古いカートリッジは廃棄しなければならない又、機能面では、ろ過のみが一般的であった。ろ過材を一般家庭で交換する事が出来ない為、浄水器の大きさや使い方によっては効果が長持ちしなかった。
【０００３】
［考案が解決しようとする課題］
従来の家庭用浄水器カートリッジは蓋とケースが超音波溶着等により密封されている為、ろ過材である活性炭・中空糸膜フィルターは再利用、再資源化が難しくそのまま廃棄される為、環境面においても問題があった。浄水器自体小型のものが多くその機能を十分発揮するには、まめに交換する必要があった。
【０００４】
［課題を解決する為の手段］
上記の問題点を解決するために、本考案は、浄水器本体を組み立てキットにする事で活性炭・中空糸膜フィルターの再利用、再資源化及び、ろ過だけでなくミネラル等の成分も豊富に独自においしい水を作り楽しむ事が出来る。
【０００５】
［考案の実施の形態］
本考案はカートリッジ本体が組み立て式になっている為カートリッジ内の洗浄は元より、ろ過材の交換、再利用及びミネラル増加材を使用することなどを一般家庭で容易に出来るような形態をした物である。
【０００６】
本体は、４層構造形態ではあるが使い方は自由に決められる。トリハロメタン、塩素、カビ，カルキ臭さを除去する活性炭・赤錆、銅、ＴＯＸを除去するセラミック・細菌を除去する中空糸膜・ミネラルの素、炭や医王石、造礁サンゴ等を入れる槽などに分かれている形態になっている。
【０００７】
また各接続部には、取り外し可能なフィルターが設けられている。
【０００８】
各槽が独立状態になっているため、各槽を外す事でろ過材などの交換、再利用が容易に出来るようになっている。各槽は水漏れ対策として各槽の接続部の間にパッキンを入れるようになっている。
【０００９】
本考案は組み立てキットにする事で、ろ過材の再利用及び交換が容易に出来、カートリッジを廃棄せず環境に影響ないことを目的としているため、本体を作る素材に関しては幅広く考えている。
［実地例］
実施例について図面を参照して説明すると、図１が全体図であり図２が各槽の図及び接続部の図である。図２の１は水と活性炭がよく触れ合うようにシャワー式の構造になっており図２の２との接続部には水漏れ防止パッキン６が間に入る。図２の２の槽からは排水口の所にフィルター１０が付き図２の３の槽との接続部にパッキン７が入る。図２の３の槽も同様にフィルター１１と図２の４との間にパッキン８が入る。図２の４の槽も図２の５との間にフィルター１２とパッキン９が入る。図２の５の槽はフィルター１３のみとなる
【００１０】
図１の１は水と活性炭がよく触れ合うためにシャワー式になっており活性炭の効力を最大限にする設計になっている。
【００１１】
図２の接続部分には水漏れを防ぐパッキン６・７・８・９がそれぞれの槽に付いている。
【００１２】
図２の１０・１１・１２・１３にはフィルターが付いている。
【００１３】
図２の２には塩素を効率よく取り除く為に大量の活性炭が入る。
【００１４】
図２の３にはセラミックが入る。水を活性化させ赤錆、鉛、ＴＯＸを取る。
【００１５】
図２の４には細菌などを除去するため中空糸膜を使用する。
【００１６】
図２の５は使用者の自由でミネラル増加になる炭・医王石・造礁サンゴ等など独自に選び水を楽しむ事が出来る。
［発明の効果］
本発明は以上説明したような形態で実施され、いかに記載されるような効果を奏する。
【００１７】
組み立てキットにしたことで、ろ過材の再利用再資源化が一般家庭で容易に出来、安定したろ過水を得る事が出来る。
【図面の簡単な説明】
【図１】家庭用組み立て浄水キットの全体図である。
【図２】組み立て浄水キットの接続部の図面であり各槽の役割及び構造の実施例を示す図面である。
【符号の説明】
１．水と活性炭がよく触れ合うシャワー構造
２．活性炭槽
３．セラミック槽
４．中空糸膜槽
５．ミネラル槽
６・７・８・９水漏れ防止パッキン
１０・１１・１２・１３各槽フィルター
【図１】
0003098757.tif 000003
【図２】
0003098757.tif 000004
(57)【要約】【課題】しっかりと書類をはさみ、各種色に製造でき、重量も軽く、生産性が高く、コストも低く、また該クリップは環境保護のため、再利用できるクリップを提供する。【解決手段】主にポリカーボネートによるプラスチックで一体に成型してなり、該クリップ２の二辺下端へ綴じ部２２，２３を設け、該クリップ部の下方は相対するように外側へ向かって開いており２４、その中一辺の綴じ部２２の内側面へ溝２５を設け、別の一辺の相対する綴じ部２３内側面には突起２６を設け、該溝と突起は面と面を互いに噛み合せて接触する構造とする。【選択図】図３
0003098764.tif 000002
【実用新案登録請求の範囲】
【請求項１】
主にポリカーボネートにより一体成形したプラスチックからなり、クリップの二辺下端に綴じ部を設け、該綴じ部下方は相対して外側へ向かって開いており、その内一辺の綴じ部内側面に溝を設け、相対する別の一辺の綴じ部内側面に突起を設け、該溝と突起は面と面を互いに噛みあって接触し、
この綴じ部の溝と突起との噛み合いにより、綴じ部の接触面積を確保して書類の綴じ力を向上したことを特徴とする、ポリカーボネート製クリップ。
【請求項２】
前記プラスチックにより成型する時、ポリカーボネートの原料の中へ顔料粉を均等に調合することにより、各種異なる色のクリップとしてなることを特徴とする請求項１記載のクリップ。
【考案の詳細な説明】
【０００１】
【考案の属する技術分野】
本考案はクリップの技術分野、特にクリップ製造工程の技術分野に属する。
【０００２】
【従来の技術】
図１、２に示すように、コイル状素材の金属板材１０を加工出発材料とし（参照ａ）、一定サイズの基材（ブランク）１１にプレス成型し（参照ｂ）、更に、基材１１をクリップ１が開いた状態の素材１２の形状に（参照ｃ）にプレス切断し、更に該素材１２をプレスして三角形状に折り曲げ（参照ｄ）、該クリップ１の下端部は外側へ向かって開いている相対する開口部１３を設け、開口部１３の上部は綴じ部１４となり、綴じ部１４は線接触する（図２参照）。
金属板材質で製造されたクリップ１は、防錆と美観性を備えるためにクリップ１の表面へ顔料を噴きつけて塗装する。
公知の金属材質で製造されたクリップ１は、このように裁断、プレス、成型、塗装など多くの工程を経て製造し、クリップ１を完成させる。
【０００３】
【考案が解決しようとする課題】
しかしながら、金属材質のクリップ１の重量は重く、クリップ１で書類を綴じた状態でその重量のため薄い書類等は折れ曲がってしまい、且つ金属製のクリップ１は錆び易く、その錆が書類に付き、汚してしまう。また、表面の塗装は、使用しているうちに剥がれやすく、且つ公知の金属性のクリップ１の綴じ部１４は線接触であるため、接触面積が小さく、綴じる力も弱くなり、書類が滑り落ちやすく、製造生産費のコストも高いという問題点があった。
【０００４】
【課題を解決するための手段】
上記課題を解決するため、本考案は下記のクリップを提供する。
それは、ポリカーボネートによるプラスチックで成型し、該クリップの二辺の下端へ綴じ部を設け、該両綴じ部の下方は外側へ向かって開いている相対する開口部を設け、その一辺の綴じ部内側面へ溝を設け、別の一辺の綴じ部内側面へ突起を設け、該溝と突起は面と面で接触して相互に噛み合うことにより、しっかりと書類を綴じる構造となり、公知構造の欠点を解決する。
【０００５】
【考案の実施の形態】
図３、４に示すように、本考案は主にポリカーボネートによるプラスチックで一体に成型するが、成型する前にポリカーボネートの原料中に顔料粉を調合して、各種色の異なるクリップ２とすることができる。
該クリップ２の二辺２０、２１の下端へ綴じ部２２、２３を設け、該両綴じ部２２、２３の下方へ相対するように外側へ向かって広がる開口部２４を設け、その中一辺２０の綴じ部２２の内側面へ溝２５を設け、相対する別の一辺２１の綴じ部２３の内側面へ突起２６を設け、該溝２５と突起２６は面と面で接触して相互に噛み合い、その接触面積を大きくしている。
プラスチック成型のクリップ２は、優れた弾性を具えており、よって綴じる力も優れており、且つ綴じ部２２、２３の溝２５と突起２６の接触する面積が大きいので、書類を綴じた時、滑り落ちにくく、確実に書類を綴じる。
また、短時間で大量生産でき、製造コストも低減可能であって、且つ重量が軽く、書類を綴じた時、或いは書類を手にした時、書類はクリップ２の重さで折れ曲がったりすることもない、
さらに、クリップ２の色は、クリップ２を製造する前に顔料粉をポリカーボネートの原料と一緒に調合されていることにより、クリップ２の色は落ちることはなく、且つ錆ず、美観性を長期にわたって保てると共に、本考案のクリップ２は廃品となって後も回収し、粉砕してリサイクルできるので、環境保護の効果も達成する。
【０００６】
【考案の効果】
以上説明したように、本考案によると、綴じる力が強く、軽量であって、生産生が高く、コストを削減し、再利用できるため環境保護になるという効果を得られる。
【図面の簡単な説明】
【図１】公知の（クリップ）の製造過程の指示図である。
【図２】公知の（クリップ）の側面図である。
【図３】本考案の（クリップ）の立体図である。
【図４】本考案の（クリップ）側面図である。
【符号の説明】
１　クリップ
１０　金属板材
１１　基材
１２　素材
１３　開口部
１４　綴じ部
２　　クリップ
２０　辺
２１　辺
２２　綴じ部
２３　綴じ部
２４　開口部
２５　溝部
２６　突起
【図１】
0003098764.tif 000003
【図２】
0003098764.tif 000004
【図３】
0003098764.tif 000005
【図４】
0003098764.tif 000006
(57)【要約】　　　（修正有）【課題】風受け板により大きな回転力を得て、発電効率を向上させる。【解決手段】垂直軸２のまわりにロータ３を回転自在に設け、ロータの端部および／あるいは中間部に回転軸４を垂直状に設け、回転軸に風受け板５を回転自在に設け、風受け板がロータに対して９０度までしか回動できないストッパー６を設けてなる垂直軸型風力発電用風車とした。【選択図】図１
0003098761.tif 000002
【実用新案登録請求の範囲】
【請求項１】
垂直軸のまわりにロータを回転自在に設け、ロータの端部および／あるいは中間部に回転軸を垂直状に設け、回転軸に風受け板を回転自在に設け、風受け板がロータに対して９０度までしか回動できないストッパーを設けてなる垂直軸型風力発電用風車。
【考案の詳細な説明】
【０００１】
【考案の属する技術分野】
本考案は、垂直軸型風力発電用風車に関し、特に、風受け板の風受け面積を自動的に変えさせて風受け板から大きな回転力を得させて発電効率を向上させようとするものである。
【０００２】
【従来の技術】
垂直軸を持つロータ上に、回転軸を持つ風受け板を設置したものは既に存在する。
【０００３】
【特許文献】
特開平１１−０２２６２６号公報
【０００４】
【考案が解決しようとする課題】
垂直軸を持つロータ上に、回転軸を持つ風受け板を単に接地しただけでは、風受け板が大きな回転力を得られず、発電効率を向上させることができなかった。
【０００５】
【課題を解決するための手段】
そこで、本考案は、上記の事情に鑑み、風受け板により大きな回転力が得られて、発電効率を向上させるべく、垂直軸のまわりにロータを回転自在に設け、ロータの端部および／あるいは中間部に回転軸を垂直状に設け、回転軸に風受け板を回転自在に設け、風受け板がロータに対して９０度までしか回動できないストッパーを設けてなる垂直軸型風力発電用風車とした。
【０００６】
【考案の実施の態様】
本考案を添付する図面に示す具体的一実施例により、以下詳細に説明する。
【０００７】
図１・図２示すように、架台１に垂直軸２を起立させ、長方形枠状の３個のロータ３を三等配してその中心部を垂直軸２に固着する。各ロータ３の端部に回転軸４を垂直状に固着し、この回転軸４に長方形状の風受け板５を回転自在に設ける。各ロータ３の端部には風受け板５がロータ３に対して９０度までしか回動できないストッパー６を垂直状に固着する。
【０００８】
ロータ３の中心には、正六角形状の支持板７・７で各ロータ３を固着し、垂直軸２のまわりに回転自在に設けられている。ロータ３は風を通すために枠状に形成されている。
【０００９】
風受け板５は布、金属板あるいは合成樹脂板でもよく、状況に応じて風受け板の重量を軽くしてもよい。
【００１０】
ストッパー６は断面直角状のアングル材を用いるとよい。
【００１１】
上記の構造であると、風受け板５が風を受ける時と、風に逆らって回転する時の風受け板５の風受け面積を、自動的に、その上極端に大きく変えられるようにして、大きな回転力が得られる。
【００１２】
風受け板５に風が直角または直角に近い角度で当たるので効率が良く、風受け板５の大きさを縦１６ｃｍ、横２０ｃｍ、本風車の模型の大きさは直径１．５ｍとして実験したら、風速１．８ｍで風受け板５一枚当たり約２０ｇの物体を引き上げることができる。
【００１３】
図３は、図１のＡ部の拡大図である。風受け板５は回動してもロータ３に対して９０度まで回動してストッパー６に当接して停止する。
【００１４】
図４は、ロータ３の中間部にさらに風受け板８を回転軸９のまわりに回動自在に設けたものである。
【００１５】
本風車であると、構造も簡単で製作も容易である。
【００１６】
本風車は、風受け板５が垂直軸を中心に水平面内で回転するので、垂直面内で回転するものに比して、接地場所が制限されず、例えばビル、家屋の上に空きスペース、可動物体つまり船舶、車輛に用いることができる。特に、電気自動車の補助電源として利用できる。
【００１７】
また、本風車は水平面内での回転であるので、強風の影響が受けにくい。
【００１８】
さらに、本風車の回転力は、ロータの回転半径を大きくとれるので、回転数に比較して力が強く、利用しやすい。
【００１９】
さらにまた、本風車では発電器の回転部分に風受け板を接合しての使用も可能であるので、動力の伝達にギヤー、ベルト等が使用できる。
【００２０】
本風車は水平面内での回転であるので、同一シャフトに風受け板を二段、三段、複数段として使用でき、力の調整と平面積の使用が調整できる。
【００２１】
また、本風車は水平面内での回転であるので、風向きは３６０度どの方向から吹いても対応できる。
【００２２】
さらに、本風車は水平面内での回転であるので、回転時ほとんど風切りの音がせず、騒音を出さない。
【００２３】
さらにまた、本風車は水平面内での回転であるので、飛んでいる鳥が例え風車に当たっても、そのまま外に追い出され被害は最小である。
【００２４】
【考案の効果】
本考案は、上述のように、垂直軸のまわりにロータを回転自在に設け、ロータの端部および／あるいは中間部に回転軸を垂直状に設け、回転軸に風受け板を回転自在に設け、風受け板がロータに対して９０度までしか回動できないストッパーを設けてなる垂直軸型風力発電用風車であるので、風受け板により大きな回転力が得られて、発電効率を向上させる。
【図面の簡単な説明】
【図１】本考案の垂直軸型風力発電用風車の具体的な一実施例の平面図である。
【図２】図１の正面図である。
【図３】図１のＡ部の拡大平面図である。
【図４】図の他の例のＡ部の拡大平面図である。
【符号の説明】
２…垂直軸
３…ロータ
４…回転軸
５…風受け板
６…ストッパー
【図１】
0003098761.tif 000003
【図２】
0003098761.tif 000004
【図３】
0003098761.tif 000005
【図４】
0003098761.tif 000006
(57)【要約】【課題】付属のストローを、容器本体の外面に固定しなくても済むようにする。【解決手段】方形箱状をなす容器本体２の上端面に、例えばＶ溝状をなす凹陥部５を設ける。この凹陥部５の底部に、シール体３で開封可能にシールされるストロー通し口４を設けるとともに、凹陥部５内に、仮固定状態でストロー６を収容する。凹陥部５の周縁の一部を、上方に立上げて立上げ片７を形成するとともに、この立上げ片７を折曲げて、凹陥部５の上端開口部を閉止できるようにする。折曲げた立上げ片７は、固定シール８で容器本体２に固定する。立上げ片７に係止部９を設け、立上げ片７を店頭販売等の際の吊下げ片として利用できるようにする。【選択図】　　　　図２
0003098766.tif 000002
【実用新案登録請求の範囲】
【請求項１】
容器本体の上端面に、シール体で開封可能にシールされたストロー通し口を有する飲料用容器において、前記容器本体の上端面に、周縁部を残してその内側部分に凹陥部を設けるとともに、周縁部の一部を上方に立上げて立上げ片を形成し、この立上げ片を、前記凹陥部上に折曲げて凹陥部の蓋体としたことを特徴とする飲料用容器。
【請求項２】
立上げ片は、連続状または断続状の切込みで形成される係止部を有していることを特徴とする請求項１記載の飲料用容器。
【考案の詳細な説明】
【０００１】
【考案の属する技術分野】
本考案は、ストローが付属している飲料用容器に係り、特に付属のストローを容器内に収容することができる飲料用容器に関する。
【０００２】
【従来の技術】
従来から、容器本体の上端面に、シール体で開封可能にシールされたストロー通し口を有する飲料用容器は一般に知られている。そしてこの種の飲料用容器には、ストローが付属しているのが通例であるが、従来の容器には、ストローの収容部がないため、容器の外面に、包装されたストローが接着固定されているのが一般的である。
【０００３】
【考案が解決しようとする課題】
前記従来の飲料用容器においては、ストローが容器の外面に固定されているため、容器が例えば方形箱状の場合には、ストローの部分が外方に突出した状態となり、保管等の際にストローが邪魔になって、保管効率が低下すると云う問題があり、また容器が例えば瓢箪形等、外面が平面でない場合には、ストローの容器への固定強度が不充分となって、ストローが容器から脱落するおそれがあると云う問題がある。
【０００４】
本考案は、かかる現況に鑑みなされたもので、容器がどのような外面形状の場合であっても、ストローを安全に収容することができる飲料用容器を提供することを目的とする。
【０００５】
本考案の他の目的は、容器本体を吊下げた状態で展示販売することができる飲料用容器を提供するにある。
【０００６】
【課題を解決するための手段】
前記目的を達成するため本考案は、容器本体の上端面に、シール体で開封可能にシールされたストロー通し口を有する飲料用容器において、前記容器本体の上端面に、周縁部を残してその内側部分に凹陥部を設けるとともに、周縁部の一部を上方に立上げて立上げ片を形成し、この立上げ片を、前記凹陥部上に折曲げて凹陥部の蓋体とするようにしたことを特徴とする。そしてこれにより、ストローを容器本体の外面に固定することなく、凹陥部内に収容することが可能となり、しかも立上げ片を折曲げることにより、凹陥部の上端開口部が閉止されることになるので、保管時や運搬時等の際に、凹陥部内に異物が侵入するおそれがなく衛生的である。
【０００７】
本考案はまた、立上げ片に、連続状または断続状の切込みで形成される係止部を設けるようにしたことを特徴とする。そしてこれにより、容器本体を吊下げた状態で展示販売することが可能となる。
【０００８】
【考案の実施の形態】
以下、本考案を図面を参照して説明する。
図１および図２は、本考案の実施の一形態に係る飲料用容器を示すもので、この飲料用容器１は、例えば方形箱状をなす容器本体２を備えており、この容器本体２の上端面には、シール体３により開封可能にシールされたストロー通し口４が設けられている。
【０００９】
また、前記容器本体２の上端面には、図１および図２に示すように、周縁部を残してその内側部分に、例えばＶ溝状に陥没する凹陥部５が設けられており、この凹陥部５内には、包装済みのストロー６が仮固定状態で収容されるようになっている。
【００１０】
この凹陥部５周縁の一部には、図１および図２に示すように、上方に立上がる立上げ片７が設けられており、この立上げ片７は、前記凹陥部５上に折曲げることにより、凹陥部５の上端開口部を閉止する蓋体として機能するようになっている。そして、この立上げ片７は、店頭で展示販売されるまでは、凹陥部５上に折曲げられて固定シール８で固定された状態となっている。
【００１１】
前記立上げ片７にはまた、図１および図２に示すように、断続切れ目で門形に形成される係止部９が設けられており、この係止部９は、立上げ片７を上方に立上げて店頭販売する際等に、係止金具（図示せず）等に係止されて、飲料用容器１を吊下げることができるようになっている。
【００１２】
しかして、容器本体２には、その上端面にＶ溝状の凹陥部５が設けられ、この凹陥部５の上端開口部は、立上げ片７を折曲げることにより閉止されるようになっているので、凹陥部５をストロー６の収容空間として利用することができる。このため、飲料用容器１の外面に凸部がなくなり、保管時あるいは運搬時等の際の収容効率を向上させることができる。
【００１３】
また、立上げ片７を折曲げた状態では、飲料用容器１の上端面が平坦な面となるので、飲料用容器１を上下方向に段積みした場合であっても、荷崩れするおそれがなく取扱いが容易となる。
【００１４】
また、立上げ片７には、係止部９が設けられているので、この係止部９を利用して飲料用容器１を吊下げることができ、店頭販売等の際に、多様な販売方式を採ることができる。
【００１５】
なお、前記実施の一形態においては、凹陥部５がＶ溝状をなす場合について説明したが、Ｖ溝状以外の形状であっても何等支障がない。また、容器本体２の形状も、方形箱状のものに限らず、例えば瓢箪形等、他の形状の場合にも適用でき、同様の効果が期待できる。
【００１６】
【考案の効果】
以上説明したように本考案は、容器本体の上端面に凹陥部を設けてストローの収容空間とするとともに、この凹陥部の上端開口部を、立上げ片を折曲げて閉止できるようにしているので、ストローを容器本体の外面に固定する必要がない。このため、容器本体の外面が曲面をなしていて、ストローの固定に不向きな形状である場合であっても、ストローを安全に収容することができる。
【００１７】
本考案はまた、立上げ片に係止部を設けるようにしているので、この係止部を利用することにより、容器本体を吊下げた状態で店頭販売することができ、狭いスペースを有効利用することできる。
【図面の簡単な説明】
【図１】本考案の実施の一形態に係る飲料用容器を示す斜視図である。
【図２】図１の飲料用容器の断面構造を示す説明図である。
【符号の説明】
１…飲料用容器、
２…容器本体、
３…シール体、
４…ストロー通し口、
５…凹陥部、
６…ストロー、
７…立上げ片、
８…固定シール、
９…係止部。
【図１】
0003098766.tif 000003
【図２】
0003098766.tif 000004
(57)【要約】　　　（修正有）【目的】従来の動力噴霧機は、圧力コンプレッサーを作動する為に人力、バッテリー、或いは電力、別のエンジンの動力源を使い噴霧作業を行なって参りましたが、本考案は車輌に圧力コンプレッサーを取り付け車両のエンジンパワーを動力源として作業自体の安全と能率のアップに繋がる噴霧器を提供する。【構成】噴霧圧力コンプレッサーの動力源を、自動車エンジンとする為にエンジンとラジエター、冷却ファンの後方の、クランク軸に、プーリーを取り付け圧力コンプレッサー側の、プーリーと、ベルトで連動させ、圧力コンプレッサーを作動する特徴とする。【選択図】　図１
0003098785.tif 000002
【実用新案登録請求の範囲】
【請求項１】
農作物の防除噴霧機圧力コンプレッサーを１とし他の自動車エンジンの動力源を２とし使用する一対の動力噴霧機。
【考案の詳細な説明】
【０００１】
【産業上の利用分野】
この考案は、一方を農産業防除噴霧機圧力コンプレッサーとし、他方を自動車用エンジンを動力源とした防除及び屋外塗装用高圧動力噴霧機に関するものである。
【０００２】
【従来の技術】
従来、動力噴霧機は動力源として人力及びバッテリー、電力、エンジンで圧力コンプレッサーを作動した物でしかなかった。
【０００３】
【考案が解決しようとする課題】
従来型は、次のような欠点が有りました。屋外作業に行く時人が運ぶか車両の荷台に乗せるかして作業場まで行きました。これはかなりの力を必要とし、かつ足場の悪い場所では危険でもあります。又、昨今の日本の農業も大型化してまいりました故に従来型の動力噴霧機もパワーの必要を余儀なくされて居ります。それに伴ない重量も増して居りますので、本考案は以上のような欠点を無くす為従来型より便利でかつ低価格ですむ為に成されたものである。
【０００４】
【課題を解決するための手段】
噴霧機圧力コンプレッサーを自動車用エンジンとＶベルトで連動させた高圧力噴霧機である。本考案は以上の構成よりなる動力噴霧機である。
【０００５】
【作用】車両エンジンのギヤーをパーキングかニュートラルにいれてエンジンを始動させ、圧力コンプレッサーを連動させ高圧噴霧機を使用する。
【０００６】
【実施例】
以下本考案の実施例について説明する。農作物の防除用噴霧コンプレッサーを自動車エンジンを動力源として使用する事により農作物の防除、野菜、根菜類の洗浄、吹き付け塗装、給水、排水ポンプに使用した結果、自動車用エンジンの馬力は噴霧機用エンジンに比べて馬力が大きい為、自動車用エンジンの回転がスローでも圧力コンプレッサーの回転が上がるように自動車用エンジンに取り付けるプーリーの経を大きくする事によって、圧力コンプレッサーの回転を上げコンプレッサーのパワーが上がり噴霧機の効率が向上した。車両停車時、エンジン動力は噴霧作業時のみ圧力コンプレッサーに連動するようコンプレッサーのプーリーをクラッチ付きのものを使用した。エンジンの回転速度調整レバーは車外に取り付け、車外でもコンプレッサー圧力操作ができるようにして、安全でかつ効率の良い作業をし能率のアップを得る事が出来た。
【０００７】
【考案の効果】
従来の動力噴霧機及び圧力コンプレッサーの耐用年数は１０年〜２０年あるので車両入れ替え時には容易にこのシステムを交換できる仕組みとする。従って車両の入れ替え時には、エンジンに取り付けたプーリー及び噴霧機圧力コンプレッサーなどは新しく買い入れた車両に容易に取り付け可能とする為にこのシステムを車両のオプション部品扱いとし、全ての車両に取り付け可能とする。従って従来の噴霧に比べて動力源を自動車のエンジンとした事により価格、コストは従来型の物よりかなり低価格で便利な物をユーザーに提供出来るものである。
【図面の簡単な説明】
【図１】本考案の斜視図である。
【図２】本考案の正面図である。
【図３】本考案の右側面図である。
【図４】本考案の上視図である。
【符号の説明】
１．　　自動車エンジン
２．　　クランク軸
３．　　冷却ファン
４．　　エンジンプーリー
５．　　Ｖベルト
６．　　圧力器クランク軸
７．　　圧力器プーリー
８．　　圧力器コンプレッサー
９．　　噴出ノズル
１０．　排水口
１１．　吸水口
【図１】
0003098785.tif 000003
【図２】
0003098785.tif 000004
【図３】
0003098785.tif 000005
【図４】
0003098785.tif 000006
(57)【要約】　　　（修正有）【課題】表裏印刷をせずに製本ができるプリンター用紙により、自作写真集等の製本を簡便に行う。【解決手段】印刷後に予め付けられた折り目に沿って折り曲げることにより、表裏印刷をせずに製本可能となるプリンター用紙を製作する。【選択図】　図１
0003098784.tif 000002
【実用新案登録請求の範囲】
【請求項１】
折り目を付けたプリンター用紙
【考案の詳細な説明】
【考案の属する技術分野】
製紙
【従来の技術】
プリンター用紙は単体の紙もしくはロール状の紙である。
【考案が解決しようとする課題】
製本時には表裏印刷が必要であった。
【課題を解決するための手段】
印刷後のプリンター用紙を折りたたむことにより、表裏印刷をせずに製本可能とするため、用紙に予め折り目を付けた。
【考案の実施の形態】
用紙に折り目が付けられているため、印刷後に折り目に沿って折り曲げることにより簡便な製本を可能とした。
【実施例】
単体用紙の中央に折り目をつけたものや、ロール紙等長尺用紙の一定の長さ毎に山折・谷折の折り目を交互につけたもの。
【考案の効果】
自作写真集等の製本が、簡便に行える。
【図面の簡単な説明】
【図１】単体用紙を複数枚使用した場合の実施例
【図２】長尺用紙を使用した場合の実施例
【図１】
0003098784.tif 000003
【図２】
0003098784.tif 000004
(57)【要約】【課題】ポンプヘッドを押し下げる操作で練り歯磨きを適合量吐出させることができる歯磨き用品の提供【解決手段】この考案の練り歯磨き用品は、上部側方に吐出口１４を有する吐出ポンプ４を装着した容器１に練り歯磨きＡを収納した構成になっているので、吐出ポンプ４のピストンヘッド１２を押し下げるだけで、容器１中の練り歯磨きＡを吐出口１４から吐出させることができるので、従来のようなキャップの着脱操作やチュ−ブの絞り操作が不要になるという効果を奏する。【選択図】　図２
0003098788.tif 000002
【実用新案登録請求の範囲】
【請求項１】
上部側方に吐出口を有する吐出ポンプを装着した容器に練り歯磨きを収納したこと特徴とする歯磨き用品
【考案の詳細な説明】
【０００１】
【考案の属する技術分野】
この考案は、歯磨き用品に関するものである。
【０００２】
【従来の技術】
通常、練り歯磨きはチュ−ブに入れられ、チュ−ブの口にキャップを螺着しており、使用時には、キャップを外して、チュ−ブを絞り、チュ−ブの口から練り歯磨きを吐出させ、歯ブラシに付着させていたので、キャップの着脱操作の面倒臭さとチュ−ブを絞る面倒臭さがあった。
【０００３】
また、電動式で練り歯磨きを絞り出す方式のものも知られている（例えば、特許文献１）。しかし、キャップの着脱は手動で行わねばならないので、キャップの着脱操作の面倒臭さは解消されていない。
【０００４】
【特許文献１】特開平１１−４９１９７号
【０００５】
【考案が解決しようとする課題】
この考案は、従来の技術で記述した面倒臭さを解消するためになされたもので、ポンプヘッドを押し下げる操作で練り歯磨きを適合量吐出させることができる歯磨き用品の提供を目的とするものである。
【０００６】
【課題を解決するための手段】
この考案の歯磨き用品は、上部側方に吐出口を有する吐出ポンプを装着した容器に練り歯磨きを収納したこと特徴とするものである。
【０００７】
【考案の実施の形態】
この考案の実施の形態の一例を図面を参照しながら説明するに、容器１は、例えば、プラスチック部材からなり、図１に示すように、開口部２を形成する側壁部ａの外側に、雄ねじ３が刻設されている。
【０００８】
吐出ポンプ４は、例えば、図２又は図３に示すように、シリンダ−５とシリンダ−５内を上下動するピストン６から構成されている。
【０００９】
シリンダ−５には、図２又は図３に示すように、下端部に、容器１に収納した練り歯磨きＡの吸入パイプ７と吸入パイプ７の上端を開閉する逆止弁８が設けられている。また、シリンダ−５の下部には、図２又は図３に示すように、断面が略Ｌ字状のスカ−ト９が設けられ、スカ−ト９の内面には、図１に示した容器１の側壁部ａの雄ねじ３に螺合する雌ねじ１０が刻設されている。また、シリンダ−５の上端部の外面には、雄ねじ１１が刻設されている。
【００１０】
ピストン６は、図２又は図３に示すように、上端部に略ハンマ−状のピストンヘッド１２が設けられ、中央部に連通する吐出孔１３が穿設されており、吐出孔１３の終端部には吐出孔１３を開閉するボ−ル状の逆止弁１５が装着されており、逆止弁１５が開の状態（図３に示すように、逆止弁１５が右方向に移動した状態）になったとき、吐出孔１５はピストンヘッド１２の先端部下側に設けられた吐出口１４に連通するようになっている。
【００１１】
ピストン６は、シリンダ−５内に装着したスプリング１６のバネ力によって常時上方へ押上力を付勢されている。図２、図３において、１７はピストンストッパ−キャップで、シリンダ−５の上端部の外面の雄ねじ１１に螺合しており、１８はシリンダ−５とピストン６間の気密を保持するためのパッキングである。なお、吐出ポンプは、本例で説明した構成に限定されるものではなく、例えば、シャンプ−等の容器に使用されているように、上部側方に吐出口を備えた構成の吐出ポンプであれば、全て適用できる。
【００１２】
次に、動作状態について説明する。図２に示す状態は、ピストン６がバネ力で押し上げられ、シリンダ−５とピストン６で形成される空間が真空に近い状態になっているため、ボ−ル状の逆止弁１５が吐出孔１３に吸い付けられ、吐出孔１３を塞ぎ、逆止弁８は吸い上げられて、シリンダ−５の吸入パイプ７を開き、容器１中の練り歯磨きＡを前記空間部に吸い上げる。
【００１３】
ついで、図３に示すように、ピストンヘッド１２を押し下げると、逆止弁８を押し上げ、シリンダ−５の吸入パイプ７の上端を塞ぎ、前記空間部に吸い上げられ溜まっていた練り歯磨きＡを吐出孔１３に送り込む。練り歯磨きＡの吐出圧力によって、ボ−ル状の逆止弁１５は右方向に押しやられ、吐出孔１３が開き、吐出口１４に連通し、吐出口１４から練り歯磨きＡを吐出させる。
【００１４】
なお、容器１の底部は、図２，図３において点線で示しているように、すり鉢状に形成し、容器１中の練り歯磨きＡを、吸入パイプ７が吸い上げ易くしておくと、練り歯磨きＡの残存量を最小限に抑制できるので好ましい。また、練り歯磨きＡには、市販のものを適用できるが、粘度の調整等は自由である。
【００１５】
【考案の効果】
この考案は上述のように構成されているので、次のような効果を呈する。
（１）キャップの着脱操作が不要である。
（２）チュ−ブを手で絞る操作が不要である。
（３）ピストンヘッドを押すという簡単な操作で練り歯磨きを吐出させることができる。
（４）容器を立てた状態、すなわちスタンド式としてで使用できる。
【図面の簡単な説明】
【図１】考案の本体の一実施例を示す容器の一部切欠断面図
【図２】考案の一実施例を示す断面図
【図３】考案の一実施例を示す断面図
【符号の説明】
１　容器
２　開口部
３　雄ねじ
４　吐出ポンプ
５　シリンダ−
６　ピストン
７　吸入パイプ
８　逆止弁
９　スカ−ト
１０　雌ねじ
１１　雄ねじ
１２　ピストンヘッド
１３　吐出孔
１４　吐出口
１５　逆止弁
１６　スプリング
１７　ピストンストッパ−キャップ
１８　パッキング
ａ　容器の開口部を形成する側壁部
Ａ　練り歯磨き
【図１】
0003098788.tif 000003
【図２】
0003098788.tif 000004
【図３】
0003098788.tif 000005
(57)【要約】　　　（修正有）【課題】背中にジッパーが無いので、ストレスがなく身体の動きを自由とし、パンツやズボンをはくのと同様に、着脱できるサーフィン等のウエットスーツを提供する。【解決手段】使用者は、ウエットスーツを着て、内首部材から首を外へ出し、次に、前にある内首部材をかぶって首を通す。そして背中の紐４を引っ張り、又状の布製ファスナーに、外首部材２の布製ファスナーを楽に挟み固定する。次に後に垂れている背部部材６を、外首部材の肩にある布製ファスナーに、背部部材の先端の布製ファスナーで止める。このようにして、背中にジッパーの無いウエットスーツが得られる。【選択図】　　図６
0003098708.tif 000002
【実用新案登録請求の範囲】
【請求項１】
内側に首を通す中首部材があり、その前に、また首を通す外首部材があり、その中首部材の背に、又状の布製ファスナーを設け、その外首部材の中央下部に布である布製ファスナーがあり、その両布製ファスナーは、着脱自在であり、その又状の布製ファスナーに紐が装着されており、また、後に垂れた背部部材の左右の先端をその外首部材の肩部にある布製ファスナーに留めて固定できるサーフィン等のウエットスーツ。
【請求項２】
中首の部分を又状の布製ファスナーが挟みやすいように、中首部分を上へ引っ張り上げる紐を設けた請求項１に記載のサーフィン等のウエットスーツ。
【考案の詳細な説明】
【０００１】
【考案の属する技術分野】
本考案は、サーフィン等のウエットスーツに関する。
【０００２】
【従来の技術】
今までのウエットスーツは、背中にジッパーがあり、ストレスが使用者に強く感じられた。
【０００３】
【考案が解決しようとする課題】
本考案は、背中にジッパーがないのでストレスがなく、身体の動きを自由にするので、パンツやズボンをはくのと同様に着脱できるウエットスーツを提供する。
【０００４】
【課題を解決するための手段】
本考案は、内側に首を通す中首部材があり、その前に、また、首を通す外首部材があり、その中首部材の背に、また、又状の布製ファスナーを設け、その外首部材の中央下部に布である布製ファスナーがあり、その両布製ファスナーは、着脱自在であり、その又状の布製ファスナーに紐が装着されており、また、後に垂れた背部部材の左右の先端をその外首部材の肩部にある布製ファスナーに留めて固定できるサーフィン等のウエットスーツ、及び、中首の部分を又状の布製ファスナーが挟みやすいように、中首部分を上へ引っ張り上げる紐を設けた請求項１に記載のサーフィン等のウエットスーツに関する。
【０００５】
【考案の実施の形態】
中首部材１は着てから首を先ず通すものである。その前部に外首部材２が垂れ下がっている。使用者は、外首部材２にも首を通し、外首部材２は、中首部材１の上へ重ねて置かれる。中首部材１の首の下に、又状で挟む形の布製ファスナー３を設けて、その布製ファスナー３の裏面に紐４を固定する。外首部材２の後部にも前記布製ファスナー３に挟まれる布である布製ファスナー５を設ける。紐４は、前記布製ファスナー３，５が身体の背部であるので、挟みづらい面もあるので、全体に引っ張り上げ、肩に手をまわし、挟みやすくするものである。
【０００６】
次に、背部部材６を外首部材１２の肩部の前に左右両方共設けてある、布製ファスナー７に固定できる。背部部材６の左右２箇所は少し突出し、外首部材２の布製ファスナー７と背部部材６の先端の布製ファスナー８の両肩部前で、２箇所固定できる。
【０００７】
使用者は、ウエットスーツを着て、内首部材１から首を外へ出す。次に、前にある外首部材２をかぶって首を通す。そして、紐４を引っ張り、又状の布製ファスナー３に、外首部材２の布状の布製ファスナー５を挟み固定する。次に、後に垂れている背部部材６を外首部材２の肩にある布製ファスナー７に、背部部材６の先端の布製ファスナー８で留める。
【０００８】
【考案の効果】
普通のウエットスーツのように背中にジッパーがなく、使用者のストレスが溜まらない。背中の布製ファスナーを最小限にし、生地の伸びを妨げない。
また、中首部材と、外首部材で、二重になっていて、水が入りにくい。
紐を用い、容易に中首部材と、外首部材を固定できる。
【図面の簡単な説明】
【図１】装着前の側面図である。
【図２】外首部材をかぶった状態の側面図である。
【図３】その斜視図である。
【図４】装着後の正面図である。
【図５】その背面図である。
【図６】紐を引っ張った状態を示す側面図である。
【符号の説明】
１　中首部材
２　外首部材
３　布製ファスナー
４　紐
５　布製ファスナー
６　背部部材
７　布製ファスナー
８　布製ファスナー
【図１】
0003098708.tif 000003
【図２】
0003098708.tif 000004
【図３】
0003098708.tif 000005
【図４】
0003098708.tif 000006
【図５】
0003098708.tif 000007
【図６】
0003098708.tif 000008
(57)【要約】　　　（修正有）【課題】不織布に粉状の炭を含浸させシート状にしたもので、炭の特徴を生かし脱臭及び調湿を目的とする。【解決手段】不織布を製造する過程で粉状の炭を漉きこんだ炭入りシート。【選択図】図２
0003098719.tif 000002
【実用新案登録請求の範囲】
不織布に粉状の炭を含浸させたもの
【考案の詳細な説明】
不織布に粉状の炭を含浸させシート状にしたものである。
炭の特徴を生かし脱臭及び調湿を目的としたものである。
【図面の簡単な説明】
【図１】本考案の正面図
【図２】本考案の斜視図
【図３】本考案の断面図
【符号の説明】
１．　は不織布
２．　は粉炭
【図１】
0003098719.tif 000003
【図２】
0003098719.tif 000004
【図３】
0003098719.tif 000005
【手続補正書】
【提出日】平成15年4月28日(2003.4.28)
【手続補正１】
【補正対象書類名】明細書
【補正対象項目名】実用新案登録請求の範囲
【補正方法】変更
【補正の内容】
【実用新案登録請求の範囲】
【請求項１】
不織布を製造する過程で粉状の炭を漉きこんだもの。
【手続補正２】
【補正対象書類名】明細書
【補正対象項目名】考案の詳細な説明
【補正方法】変更
【補正の内容】
【考案の詳細な説明】
炭には調湿、防臭、防菌、濾過、遠赤外線放出効果があり、粉末にしてもこの効果は変わらないものである。布織布に粉末炭を漉き込む事により加工をしやすくし、調湿、防臭、防菌、濾過、遠赤外線放出効果を損なうことなく使用できる




【手続補正書】
【提出日】平成15年7月10日(2003.7.10)
【手続補正１】
【補正対象書類名】明細書
【補正対象項目名】実用新案登録請求の範囲
【補正方法】変更
【補正の内容】
【実用新案登録請求の範囲】
【請求項１】
不織布を製造する過程で粉状の炭を漉きこんだ炭入りシート。
(57)【要約】「課題」花壇や庭園で、花木を植栽する場合、他の花木との枝の配置や色合い等のバランスが大切である。既にいくつかの支柱か市販されているが、画一されたものが多く栽培者のアイデアが生かされ難い。「解決手段」上記の問題を解決する為に、支柱１の４を地中に差し込み、支柱１を安定させると共に、支柱３を継ぎ足したり切り離して支柱の高さを調節する。希望する形にする為に支柱の２の穴の位置やかずを選択して木の枝のような５を取り付ける。以上により、蔓性の植物及び花本の枝を好みの形に整えられるだけでなく、支柱の色の選択が出来るなど、花壇や庭園作りに自分のアイデアを発揮して楽しむ事が出来る。【選択図】　図１
0003098714.tif 000002
【実用新案登録請求の範囲】
【請求項１】
アルミ、鉄、プラスチック等に色彩を施した支柱１の４を地中に差し込む事によって支柱を安定させると共に、支柱と支柱を３で継ぎ足したり切り離す事により、高ささを調節する事が出来る支柱。
又蔓性の植物及び花木の枝を好みの形に誘引する為に、アルミ、鉄、プラスチック等に色彩を施した木の枝の形をした５を取り付ける為に穴をあけた支柱。
【請求項２】
支柱の穴に取り付けて、植物の蔓や花木の枝を誘引したり保定させる為にアルミ、鉄、プラスチック等の５に色彩を施し、曲げたり延ばしたりする事が出来る木の枝の形をした５。
【考案の詳細な説明】
【０００１】
［考案が解決しようとする課題］
花壇や庭園で、花木を植栽する場合、他の花木との枝の配置色合い等のバランスが大切である。
既にいくつかの支柱が市販されているが、画一されたものが多く栽培者のアイデアが生かされ難い。
【０００２】
［課題を解決しようとする手段］
上記の問題を解決する為、蔓性の植物、花木を好みの形に誘引したり整形出来るように、支柱の元を地中埋めて固定させると共に、選択する形にあわせて支柱の長さを調節したり、、木の枝の形をした物を支柱の穴の位置や数を選択して取り付ける事が出来る支柱である。
【０００３】
［考案効果］
蔓性の植物及び花木の枝を好みの形に整える事ができるだけでなく、支柱の色の選択により花壇や庭園作りに自分のアイデアを生かして一層楽しむ事出来る。
【図面の簡単な説明】
【図１】本考案の正面図
【図　２】本考案の側断面図
【図　３】本考案の平面図
【符号の説明】
１は、支柱
全体を支える主幹に当たる部分で、組み立て分解　によって長さ調節する。
２は、「５」を取り付ける穴。蔓性の植物や花木の枝を誘引するために、木の枝のような形をした　「５」を挿し込み又はねじ込み固定する穴である。選ぶ形により「５」を差し込む位置や、数が調整出来る。
３は、支柱と支柱の繋ぎめ。支柱と支柱を繋ぎ、長さを調節する事が出来る。
４は、支柱の元。支柱を安定させる為に、地中差し込む。
５は、蔓や、花木の枝を取り付ける物。「２」に差し込み又は捻じ込み固定させて、蔓や枝の形を整える為に曲げ伸ばしが出来る。
【図１】
0003098714.tif 000003
【図２】
0003098714.tif 000004
【図３】
0003098714.tif 000005
【手続補正書】
【提出日】平成15年4月16日(2003.4.16)
【手続補正１】
【補正対象書類名】明細書
【補正対象項目名】全文
【補正方法】変更
【補正の内容】
【考案の詳細な説明】
【実用新案登録請求の範囲】
【請求項１】着色した支柱に、木の枝の形をした製品を取り付ける為に穴をあけた支柱。
【請求項２】着色した木の枝の形の製品を、〔請求項１〕に取り付けた支柱。
【考案の詳細な説明】
【０００１】
〔考案が解決しようとする課題〕
限られた狭い面積の花壇や庭園でより多くの園芸を楽しむ為には、如何にして蔓性の植物や花木等を立体的に栽培するかが問題となるので、此れを解決する為に考案した。
【０００２】
〔課題を解決しょうとする手段〕
支柱の元を固定させて、蔓性の植物や花木等の枝を好みの形に誘引する為に支柱の長さを調節したり、木の枝の形に作った製品を支柱の位置や数を選択して支柱に取り付ける。
【０００３】
〔考案の効果〕
限られた狭い面積の花壇や庭園を立体的に利用して、蔓性の植物や花木の枝を好みの形にしたり支柱の色を選択する事も出来る等、自分のアイデアを生かした楽しい花壇や庭作りが出来る。
【図面の簡単な説明】
【図１】支柱に、木の枝の形の製品を取り付けた、本考案の立面図である。
【図２】支柱に、木の枝の形の製品を取り付けた、本考案の断面図である。
【図３】本考案の平面図である。
【符号の説明】
１　支柱。
２　木の枝の形の製品を取り付ける穴。
３　支柱の継ぎ目。
４　支柱の元。
５　木の枝の形の製品。
【手続補正書】
【提出日】平成14年12月19日(2002.12.19)
【手続補正１】
【補正対象書類名】明細書
【補正対象項目名】全文
【補正方法】変更
【補正の内容】
【考案の詳細な説明】
【実用新案登録請求の範囲】
【請求項１】継ぎ足したり切り離す事により高さの調節が出来たり、蔓性の植物や花木等の枝を好みの形に誘引する事が出来るように、木の枝の形をした物を固定させる穴をあけた支柱。
【請求項２】支柱の穴に取り付けて、蔓性の植物や花木等の枝を固定させる為に、アルミ、プラスチック、鉄等に色彩を施し、曲げたり延ばしたりして使える、木の枝の形をした物。
【考案の詳細な説明】
【０００１】
〔考案が解決しようとする課題〕
限られた狭い面積の花壇や庭園で園芸を楽しむ為には、如何にして蔓性の植物や花木等を立体的に栽培するか、又その為には枝の配置をどうするかが問題となるので、此れを解決する為に考案した。
【０００２】
〔課題を解決しょうとする手段〕
支柱の元を固定させて、蔓性の植物や花木等の枝を好みの形に誘引する為に支柱の長さを調節して、木の枝の形をした物を支柱の穴の位置や数を選択して支柱に取り付ける。
【０００３】
〔考案の効果〕
限られた狭い面積の花壇や庭園を立体的に利用して、蔓性の植物や花木の枝を好みの形にしたり支柱の色を選択する事も出来る等、自分のアイデアを生かした楽しい花壇や庭作りが出来る。
【図面の簡単な説明】
【図１】本考案の正面図である。
【図２】本考案の側断面図である。
【図３】本考案の平面図である。
【符号の説明】
１　支柱。
２　木の枝の形をした物を固定させる穴。
３　支柱の継ぎ目。
４　支柱の元。
５　木の枝の形をした物。
【手続補正書】
【提出日】平成15年7月11日(2003.7.11)
【手続補正１】
【補正対象書類名】明細書
【補正対象項目名】請求項２
【補正方法】変更
【補正の内容】
【請求項２】
着色された木の枝の形の製品を取り付けた、請求項１に記載の支柱。